(57)【特許請求の範囲】
【請求項１】
ケース（２）及びブレスレットないしストラップ（１４）を含み、前記ケースが中間部材（４）を含み、前記中間部材（４）から２対のホーン（１２）が延在し、前記ホーンの各対がガイド要素（５０）により連結されて前記中間部材と共に空間を画成する携帯用物品において、前記携帯用物品が固定手段（１８）を含み、前記固定手段（１８）が、前記ブレスレットないしストラップの各端部（３０）に挿入されるロック部材（２０，２０’）と、前記中間部材（４）上に配置された少なくとも１つの溝（２２）とを含み、前記固定手段（１８）が、前記中間部材と前記ガイド要素により連結された前記ホーン（１２）の各対とにより画成された前記空間に前記ブレスレットないしストラップの各端部が差し込まれることを可能にするように、且つ、前記ブレスレットないしストラップの各端部をロックするために前記溝（２２）及び前記ガイド要素（５０）と弾性的に協働するように構成され、そして
前記ロック部材（２０，２０’）が、前記ブレスレットないしストラップの各端部（３０）に挿入される支持体（２４）と、前記ブレスレットないしストラップを前記空間内に保持するように、前記携帯用物品の前記中間部材上に配置された前記溝（２２）と協働する弾性要素（３８）とを含むことを特徴とする携帯用物品。
【請求項２】
前記弾性要素（３８）が主板（４０）を含み、前記主板（４０）から少なくとも１つの枝状部（４２）が、０度より大きい角度を主板（４０）と共に形成するように折り曲げられて延在し、且つ、前記枝状部が、前記中間部材の前記少なくとも１つの溝（２２）と協働する少なくとも１つのフック（４８）を含むことを特徴とする請求項１に記載の携帯用物品。
【請求項３】
前記弾性要素（３８）が２つの枝状部（４２）を含み、前記枝状部（４２）が前記主板（４０）から同一方向に且つ平行に延在し、且つ同一方向に折り曲げられ、且つ、前記２つの枝状部の各々が、前記中間部材の前記の溝（２２）と協働する少なくとも１つのフック（４８）を含むことを特徴とする請求項２に記載の携帯用物品。
【請求項４】
前記支持体（２４）がベース（２６）を含み、前記ベース（２６）からヘッド（２８）が延在し、前記ブレスレットないしストラップ（１４）が前記ケース（２）に固定されるときに、前記ヘッド（２８）が、前記中間部材とガイド要素（５０）により連結された前記ホーン（１２）の各対とにより画成された前記空間を占めるように前記支持体が前記ブレスレットないしストラップの一端（３０）に挿入され、且つ、前記ヘッド（２８）の、前記固定動作中に前記中間部材に対向する面（３４）が、前記弾性要素（３８）がその内部に固定されるハウジング（３６）を含むことを特徴とする請求項１〜３のいずれかに記載の携帯用物品。
【請求項５】
前記ベース（２６）と前記ヘッド（２８）との接合部では、前記ベース（２６）の部分が、前記ヘッド（２８）の部分よりも大きく、それによりストップ部材として機能することを特徴とする請求項４に記載の携帯用物品。
【請求項６】
前記弾性要素（３８）が前記支持体（２４）に、前記支持体（２４）内に押し込まれることにより固定されることを特徴とする請求項４に記載の携帯用物品
【請求項７】
前記弾性要素（３８）が前記支持体（２４）に連結手段により固定されることを特徴とする請求項４に記載の携帯用物品。
【請求項８】
前記弾性要素（３８）と前記支持体（２４）とが同一の硬質材料からつくられることを特徴とする請求項１〜７のいずれかに記載の携帯用物品。
【請求項９】
前記弾性要素（３８）と前記支持体（２４）とが異なる硬質材料からつくられることを特徴とする請求項１〜７のいずれかに記載の携帯用物品。
【請求項１０】
前記支持体（２４）と前記弾性要素（３８）とが単一の部品を形成することを特徴とする請求項１に記載の携帯用物品。
【発明の詳細な説明】
【技術分野】
【０００１】
本発明は、ケース及びブレスレットないしストラップを含む携帯用物品に関する。前記ケースは中間部材を含み、この中間部材から２対のホーンが延在している。ホーンの各対が、前記中間部材と共に空間を画成するガイド要素により連結されている。
【背景技術】
【０００２】
ブレスレットないしストラップによりユーザの手首に固定される腕時計が従来技術にて知られている。革、ゴム又は金属からつくられ得るブレスレットないしストラップが、腕時計のホーンの対（組）に、前記ホーンに固定された金属ピンを介して連結される。
【０００３】
これらのブレスレットないしストラップの欠点は、これらのブレスレットないしストラップをユーザ自身が取り替えることができないことである。実際、ユーザがブレスレットないしストラップを、摩耗又は美観的理由により取り替えたい場合、ユーザは、通常、交換作業を行うために専門店に行かなければならない。この作業には時間がかかり、また、幾らかの費用がかかる。
【０００４】
交換可能なブレスレットないしストラップが設けられた携帯用物品が、図７に示すように、従来技術からも知られる。これらのシステムの１つであるシステム１００は、枢動（ピボット式）ばね構造を用いる。これを達成するために、傾斜カバー１０１がホーンの間に配置されている。このカバー１０１は、ホーン間に配置されたピン１０２を収容している。ロック部材１０３が前記ピン１０２の周囲に枢動可能に取り付けられている。このロック部材１０３は、ピン１０２に沿って延在する本体１０４を含む。第１のストリップ１０５が、本体１０４から、傾斜カバー１０１の方向とほぼ同一の方向に延在している。この第１のストリップ１０５は、その端部にフック１０６を含む。本体１０４は第２のストリップ１０７も含み、第２のストリップ１０７は、第１のストリップ１０５に対して垂直の方向に、カバー１０１から離れるように延在している。また、本体１０４は突出部１０８も含み、突出部１０８は、ばね１０９がカバー１０１と突出部１０８との間に配置されることができるように、第１のストリップ１０５の方向に対して反対の方向に延在している。従って、第２のストリップ１０７を押すことにより本体１０４が枢動され、これにより第１のストリップ１０５が枢動して、図７に示されているようにばね１０９を収縮させる。
【０００５】
非動作時には、この第１のストリップ１０５は、傾斜カバー１０１の方向とほぼ同一の方向に延在する。ブレスレットないしストラップ１１０の幅は、ホーン間の幅と等しい。ブレスレットないしストラップの各端部１１１が、傾斜カバー１０１と係合するようにつくられたスロット１１２を含む。ブレスレットないしストラップが傾斜カバー１０１と係合されたとき、ロック部材１０３部は、連結を容易にする動作位置に配置され、ばね１０９は収縮される。ブレスレットないしストラップが傾斜カバー１０１に連結されたならば、ロック部材１０３は、第１のストリップ１０５のフック１０６がブレスレットないしストラップのロック部材材１１３と協働するように非動作位置に配置され、それにより、ブレスレットないしストラップは解けなくなる。
【０００６】
この物品の欠点の１つは、この物品が複雑であることである。実際、この物品は、ケース及びブレスレットないしストラップが基本的な腕時計と比較して大幅に変えられるため、かなりの変更が必要であり、それゆえ、追加のコストが発生する。
【０００７】
別の欠点は、固定システムの１つ、例えば、ストリップ又はばねの１つが損傷した場合、その交換が複雑であり、時間がかり、高価であることである。実際、ユーザがその損傷部品を交換できるように専門店に行くことが必要である。
【発明の概要】
【発明が解決しようとする課題】
【０００８】
本発明は、従来技術の欠点を克服する携帯用物品に関する。これらの欠点の克服は、ブレスレットないしストラップを前記携帯用物品のケースに固定するための、簡単にかつ迅速に使用及び製造され、且つ、ブレスレットないしストラップが容易且つ安価に交換されることを可能にするシステムを含む携帯用物品を提供することにより達成される。
【課題を解決するための手段】
【０００９】
従って、本発明は上記の携帯用物品に関連し、この携帯用物品は、固定手段を含むことを特徴とする。前記固定手段は、ブレスレットないしストラップの各端部に挿入されるロック部材と、中間部材上に配置された少なくとも１つの溝とを含む。前記固定手段は、前記ブレスレットないしストラップの各端部が、中間部材と前記ガイド要素により連結されたホーンの各対とにより画成された空間に差し込まれることを可能にするように、且つ、前記ブレスレットないしストラップの各端部をロックするために前記溝及び前記ガイド要素と弾性的に協働するように配置される。
【００１０】
有利な実施形態が請求項２〜１１の主題を形成している。
【００１１】
これらの実施形態の第１の利点は、これらの実施形態が、前記ブレスレットないしストラップが迅速且つ簡単に交換されることを可能にすることである。実際、前記固定手段は、弾性要素がその内部に固定される、支持体を含むロック部材を含む。前記支持体は前記ストランド内に、前記ストランドの端部にて挿入される。前記弾性要素は主板を含み、前記主板から２つの平行な枝状部が延在し、前記枝状部は、前記主板と共に０度より大きい角度を形成するように折り曲げられている。枝状部の各々が、前記中間部材の前記溝と協働するフックを含む。前記枝状部に圧力を加えることにより、前記枝状部が、前記主板に向って、前記枝状部と前記主板との向かい合う面が接触するまで近づく効果が得られる。これは、前記ブレスレットないしストラップのストランドが前記ケースに容易に固定されることを可能にする。なぜなら、前記ブレスレットないしストラップのストランドを、前記中間部材と前記ガイド要素により連結された前記ホーンとにより画成された前記空間に挿入するのに必要なことは、前記弾性要素の前記枝状部に簡単に圧力を加えることだけであるからである。ロックを外すことは、前記枝状部に圧力を加えることにより行われる。このように、前記ブレスレットないしストラップを前記ケースに取り付けてロックするために、又はこのロックを外すためにこの弾性要素に必要なことは、ユーザによる簡単な操作だけである。
【００１２】
別の利点は、前記固定システムが非常に実用的であることである。このシステムは、前記ブレスレットないしストラップの各端部に挿入される支持体を含む。前記ブレスレットないしストラップを前記ケースにロックするための弾性要素が前記支持体に挿入される。従って、前記支持体と弾性要素とが１つの部品のみを形成する場合、金型の個数がより少なくなるため、コストが低減される。これらの２つの部品が別々である場合、前記弾性要素を、前記弾性要素が損傷した場合に交換することが可能である。その場合、ユーザは前記弾性要素を交換するだけでよく、ブレスレットないしストラップ全体を交換する必要はない。
【００１３】
さらに、２つの別個の部品を有することは、これらの部品が異なる材料からつくられることができることを意味する。従って、これは、前記弾性要素が、前記支持体の機械的特性とは異なる機械的特性を有する材料からつくられることができることを意味する。従って、硬質であるが軽量の材料からつくられた支持体と、摩耗しにくく、従ってより長持ちする弾性要素とを有することが可能である。
【００１４】
前記携帯用物品の目的、利点及び特徴は、本発明の少なくとも１つの実施形態に関する以下の詳細な説明において、より明確になるであろう。これらの実施形態は、限定的でない例として提示されるに過ぎない。また、これらの実施形態を図面により例示する。
【図面の簡単な説明】
【００１５】
【図１】本発明に従う携帯用物品の第１の実施形態を概略的に示す。
【図２】本発明に従う携帯用物品の第１の実施形態の上面図を概略的に示す。
【図３】本発明に従う弾性要素を概略的に示す。
【図４】本発明に従う弾性要素を概略的に示す。
【図５】本発明に従う弾性要素の変型例を概略的に示す。
【図６】本発明に従う携帯用物品の第２の実施形態を概略的に示す。
【図７】従来技術に従う、ブレスレットを固定するためのシステムを有する携帯用物品又は時計を概略的に示す。
【発明を実施するための形態】
【００１６】
以下の記載において、当該技術分野にて当業者に公知の携帯用物品の部品は簡単に説明するだけにする。
【００１７】
＜実施例１＞
図１及び図２は、本発明に従う携帯用物品の第１の実施形態の図を示す。この携帯用物品１は、この実施形態において時計の形態である。携帯用物品１が、例えば、携帯用の心拍数モニタ又は歩数計の形態であり得ることも明らかであろう。
【００１８】
この携帯用物品１はケース２を含む。ケース２は、裏蓋６により閉鎖された中間部材４及び文字板保護ガラス（クリスタル）８から形成されている。ケース２は、また、ベゼル（枠）１０も含む。ベゼル１０は中間部材４上に配置され、且つ、文字板保護ガラスを保持している。ベゼル１０は回転ベゼルであってよく、又は回転ベゼルでなくてもよい。
【００１９】
中間部材４はホーン（ラグとも称される）１２を含み、ホーン１２は、ブレスレットないしストラップ１４を、ブレスレットないしストラップ１４がユーザの手首に付けられることができるように前記携帯用物品１に固定する。これらのホーン１２はガイド要素５０により互いに連結され、ガイド要素５０はこれらのホーン１２を、中間部材と共に空間又は開口部を画成するように連結させている。このガイド要素５０は、例えば、棒又は板の形態であり得る。ブレスレットないしストラップ１４は、固定システムにより互いに連結された２つのブレスレットないしストラップのストランド１６（例えば、展開バックル）の形態を有する。各ブレスレットないしストラップのストランド１６が、固定手段１８によりケース２に固定される。
【００２０】
本発明は、前記ブレスレットないしストラップ１４をケース２に簡単且つ迅速に固定するためのシステムを提示する。
【００２１】
ブレスレットないしストラップ１４は、ストランド１６（例えば、ゴム又はシリコンなどの柔軟な材料からつくられる）から形成されている。固定手段１８は、ブレスレットないしストラップのストランド１６に固定されるロック部材２０を含む。このロック２０部は、ケース２の中間部材４に配設された溝２２と協働する。
【００２２】
ロック部材２０は支持体２４を含む。この支持体はベース２６を含み、ベース２６からヘッド２８が延在している。ベース２６の、ヘッド２８との接合部における部分は、ヘッド２８の部分とは異なり、好ましくは、ヘッド２８の部分よりも大きい。支持体２４が、ストランド１６にその端部３０にて挿入される。これを達成するために、ブレスレットないしストラップのストランド１６の端部３０は、支持体２４が挿入される凹部３２を有するように構成されている。この凹部３２は、支持体２４のベース２６がブレスレットないしストラップのストランド１６によりほぼ完全に又は完全に包囲されるようにつくられている。この目的のために、ベース２６は、その外形をほぼ三角形にすることが可能であり、ヘッド２８との接合部に位置する部分は、ベース２６の端部に位置する部分よりも大きい。この構成は、ブレスレットないしストラップのストランド１６における支持体２４の保持を変えずに支持体２４をより良好に位置決めすることを可能にする。さらに、これは、ブレスレットないしストラップのストランド１６の輪郭をより細くすることを可能にする。
【００２３】
また、凹部３２は、ブレスレットないしストラップのストランド１６がケース２に取り付けられるときに、中間部材４に面しているヘッド２８の面３４が前記ブレスレットないしストラップのストランド１６により包囲されないよう、支持体２４のヘッド２８が部分的にのみ包囲されるように配置される。従って、この面３４は、弾性要素３８が収容されるハウジング３６を含む。支持体２４のヘッド２８は、ホーン１２と、前記ホーンに連結されたガイド要素５０とにより画成された空間の形状と同一又はほぼ同一の形状を有し、従って、ヘッド２８は前記空間内に容易に挿入されることができる。
【００２４】
弾性要素３８（図３及び図４に示す）は、主板４０が支持体２４のヘッド２８のハウジング３６内に収容されることができるようなほぼ平行６面体形の主板４０を含む。少なくとも２つの枝状部４２が、この主板４０から、平行に、又はほぼ平行に延在している。これらの枝状部４２の長さは主板４０の長さと実質的に同一である。２つの枝状部３２は、主板４０の方向に、０度より大きい角度が枝状部４２と主板４０との間に形成されるように、すなわち、枝状部４２と主板４０との間に空間が維持されるように折り曲げられている。こうして、内側の輪郭４４が、弾性要素３８の枝状部４２と主板４０とが向き合う面により画成される。外側の輪郭４６は、弾性要素３８の枝状部４２及び主板４０の外面により画成される。この構成が、弾性要素３８が弾性を有することを可能にしている。実際、この弾性は、力が枝状部４２に対して主板４０の方向に加えられた後、前記力が加えられなくなると即時に枝状部４２がその元の位置に戻ることが知られる場合に観察される。弾性要素３８は、さらに２つのフック４８を含み、各フックが、枝状部４２の１つの外側輪郭４６の上に延在する。各フック４８は、好ましくは、直角を有する台形とほぼ同一の形状を有する。
【００２５】
もちろん、フック４８が必ずしも枝状部４２の端部に配置されることはなく、また、枝状部４２の長さが主板４０の長さよりも長くてよいことが明らかであろう。
【００２６】
弾性要素３８は、支持体２４のハウジング３６内に、フック４８が支持体２４の外部に向けられ、且つ支持体２４のヘッド２８の輪郭に対して突出するように挿入される。弾性要素３８は、連結手段又は同様の結果をもたらすその他の手段の内部に押し込まれることにより挿入され得る。また、前記弾性要素３８は、交換のためにハウジング３６から容易に取り外し得るように構成される。
【００２７】
ブレスレットないしストラップ１４がケース２に固定されるとき、弾性要素３８を含む支持体２４のヘッド２８が、ホーン１２と前記ホーンに連結しているガイド要素５０とにより画成された空間に挿入される。支持体２４のヘッド２８が、ホーン１２により画成された空間の形状と実質的に同一の形状を有するため、ガイディング（誘導）が完全に行われる。フック４８が支持体２４のヘッド２８の輪郭に対して突出しているため、挿入中、ケース２が枝状部４２に圧力をかける。これにより、枝状部４２が主板４０に向って、枝状部４２と主板４０との対向面が接触するまで近づく。フック４８はもはや支持体２４のヘッド２８の輪郭に対して突出していない。こうして、挿入を遅らせ、又は妨げる障害がなくなるため、挿入がより容易にされる。
【００２８】
ヘッド２８の挿入（従って支持体２４の挿入も）を停止するために、ベース２６が、ストップ（停止）部材として用いられる。実際、先に述べたように、ベース２６は、ヘッド２８との接合部に、ヘッド２８の部分よりも大きい部分を有する。従って、この部分は、ホーン１２及び／又はガイド要素５０と接触することができる面をもたらすように配置される。実際、ホーン１２及び／又はガイド要素５０と、ブレスレットないしストラップ１４のゴム・コーティングされたベース２６のこの面との間に、接触部が、ホーン１２、中間部材１４及びガイド要素５０により画成された空間への前記ストランド１６の端部挿入位置を画定するように配置される。
【００２９】
挿入の状態が、ベース２６がストップ部材として働く状態であるとき、中間部材４上に配置された溝２２は、枝状部４２に加えられた力がもはや加えられず、且つ、枝状部４２のフックが前記溝２２内に収容されることができるような有用な位置にある。これにより、枝状部４２はその初期位置に戻る。この有用な配置が、ヘッド２８がホーン１２の間に画成された空間と同一又はほぼ同一の形状であるという事実と組み合わされて、前記ブレスレットないしストラップ１４がケース２上に固定及び保持されることを可能にする。
【００３０】
中間部材４とガイド要素５０により連結されたホーン１２とにより画成された空間と同一又はほぼ同一の形状を有するヘッド２８は、前記ヘッド２８を前記空間内に完全にガイドすることだけでなく、前記空間内での水平方向及び横方向の良好な保持も可能にする。垂直方向の保持は、フック４８及びベース２６により達成され、フック４８及びベース２６は、それぞれ、上方から下向きの、及び、下方から上向きのどのような移動も防止する。
【００３１】
ブレスレットないしストラップ１４をケース２から取り外すために行われなければならない操作は非常に簡単である。この操作は弾性要素３８に力を加えることにある。
【００３２】
ブレスレットないしストラップのストランド１６を取り外すために、ユーザは、枝状部４２に力が加えられるように弾性要素３８に力を加える。こうして押すことにより、枝状部４２は、枝状部４２と主板４０との向い合う面が接触するまで主板４０に向って近づく。このときフック４８はもはや支持体２４のヘッド２８の輪郭に対して突出しておらず、従って、もはや溝２２内に収容されていない。そして、ユーザは、ホーン１２により画成された空間からストランド１６を取り外すためには前記ストランド１６を引っ張ることができる。
【００３３】
枝状部４２を押すことを容易にするために、前記枝状部の長さを主板４０の長さよりも長くして、ユーザの指との接触面をより大きくすることもできる。同様に、中間部材４及び／又は裏蓋６に切欠きを設けることが可能である。この切欠きは、ユーザがより容易に枝状部４２に達することを可能にし、従って、枝状部４２を押すことを容易にする。
【００３４】
この第１の実施形態の第１の変型例において、弾性要素３８と支持体２４とを異なる材料からつくることができる。実際、これらの２つの要素は異なる機能を有するため、これらの要素の構成材料を、それぞれの部品に従って適合させ得る。従って、支持体２４が、変形せずに機械的応力に耐えるように硬質でなければならない場合、弾性要素は、その弾性限界が低すぎて弾性効果を失うようなものではない、容易に変形する材料から形成されなければならない。従って、例えば、支持体２４を金属又は合金のいずれかからつくり、弾性要素３８をプラスチックからつくることができる。或いは、支持体２４をプラスチックから、弾性要素３８を金属又は合金からつくることができる。同様に、支持体２４及び弾性要素３８の両方を金属又は合金から（しかし、各々に異なるタイプ、例えば、支持体２４は硬質で軽量の、弾性要素３８は柔軟な金属又は合金から）つくることができる。この可能性により、異なる材料を異なる費用で使用することができるため、コストも最適化される。
【００３５】
ブレスレットないしストラップのストランド１６が金属又は合金からつくられる第２の変形例において、支持体２４も金属又は合金からつくられることができる。この場合、支持体２４がブレスレットないしストラップのストランド１６に直接組み込まれると想定することは完全に可能である。この構成は、単一の金型が用いられることによりコストを低減し、それだけでなく、支持体２４を前記ストランド１６の適切な位置に設置するステップが製造中に直接行われるため、製造方法を簡略化する。
【００３６】
図５に示されている第３の変型例において、弾性要素３８は枝状部４２を１つだけ有することができる。この単一の枝状部４２は、その幅が主板４０の幅とほぼ等しく、少なくとも１つのフック４８を含む。この変型例の利点は、枝状部４２に圧力がより一層簡単に加えられることを可能にすることである。なぜなら、操作される枝状部４２が１つだけであり、また、枝状部４２が幅広であるため、取り扱い易いからである。さらに、これは、金型の製造を簡単することを可能にする。なぜなら、枝状部４２の幅が、好ましくは主板４０の幅と同一であるからである。
【００３７】
＜実施例２＞
図６に示されている本発明の第２の実施形態に従えば、ロック部材２０’を形成している弾性要素３８と支持体とは、一体で同一の部品である。この構成は、製造方法を簡単にし、またコストも低減するという利点を有する。実際、この構成の利点は、ロック部材２０’をつくるために１つの工程のみしか必要としないことである。一方、第１の実施形態に従うロック部材２０をつくるためには３つの工程が必要であり、これらは、支持体２４を製造する１つの工程、弾性要素３８を製造する工程、及び、弾性要素３８と支持体２４とを組み立て、それによりロック部材２０を形成する工程である。従って、この方法は、より単純でより迅速になっているだけでなく、より安価になっている。なぜなら、この場合も金型の個数がより少なく、また、組み立てラインがより単純であるからである。このロック部材２０’が、任意の可能な方法（例えば、成型、機械加工、又はその他の方法）によりつくられることができることが明らかであろう。ロック部材２０’は、ロック部材２０’を形成する材料が硬質であるならば、金属若しくは合金又はプラスチックからつくられることができる。
【００３８】
この第２の実施形態の第１の変型例において、ブレスレットないしストラップ１４が金属又は合金からつくられることができる。従って、ロック部材２０’が金属又は合金からつくられるならば、ロック部材２０’は、前記ブレスレットないしストラップのストランド１６と同時に、単一の部品を形成するようにつくられることができる。得られる利点は、単一の金型が用いられることによるコストの低減であり、それだけでなく、方法の簡略化もある。なぜならロック部材２０’を前記ストランド１６の適切な位置に設置する工程が、製造中に直接行われるからである。
【００３９】
この第２の実施形態の第２の変型例において、支持体２４と共に単一の部品を形成する弾性要素３８は、１つの枝状部４２のみを有することができる。この変型例の利点は、操作される枝状部４２が１つのみであり、この枝状部４２は、好ましくは幅広で、従って取り扱いが容易であるため、より一層簡単に枝状部４２に圧力を加えることが可能になることである。さらに、これは、金型の製造を簡単にする。なぜなら、ロック部材２０’の複雑性が低減されるからである。
【００４０】
別の変型例において、中間部材と、ガイド要素５０により連結されたホーン１２とにより画成される空間は貫通空間でなくてもよく、前記空間は片側のみ開放されている。従って、この構成はロック部材２０，２０’が隠されることを可能にする。これは、また、ロック部材２０，２０’の形状に関する制限を少なくすると共に、携帯用物品の魅力が損なわれることを回避する。
【００４１】
以上に詳細に説明した本発明の様々な実施形態に、当業者にとって明らかな、様々な変更及び／若しくは改良、並びに／又は組合せが、添付の特許請求の範囲により定義された本発明の範囲から逸脱せずに行われることができることが明らかであろう。実際、弾性要素３８は、もちろん、２つより多くの枝状部４２を含むことができる。また、枝状部は、複数の溝２２と協働する複数のフック４８を含むことができる。
【符号の説明】
【００４２】
１  携帯用物品；  ２  ケース；  ６  裏蓋；  ８  文字板保護ガラス；  
１０  ベゼル；  １２  ホーン；  １４  ブレスレットないしストラップ；  
１６  ストランド；  １８  固定手段；  ２０  ロック部材；  ２２  溝；  
２４  支持体；  ２６  ベース；  ２８  ヘッド；  ３０  ストラップの端部；  
３２  凹部；」  ３６  ハウジング；  ３８  弾性要素；  ４０  主板；  
４２  枝状部；  ４８  フック；  ５０  ガイド要素。
【図１】
0005632265.tif 000002
【図２】
0005632265.tif 000003
【図３】
0005632265.tif 000004
【図４】
0005632265.tif 000005
【図５】
0005632265.tif 000006
【図６】
0005632265.tif 000007
【図７】
0005632265.tif 000008